(57)【要約】【課題】商用電力系統が停電したとき、出力する電力が商用電力系統に流れ込む逆潮流を防止すると共に、電気負荷に可能な限り多くの電力を供給するようにしたコージェネレーション装置を提供する。【解決手段】商用電力系統１２から電気負荷１４に至る交流電力の給電路１６に接続される第１の発電装置２０とそれと並列して接続される第２の発電装置６０と第１、第２の発電装置の接続点１８よりも上流側の位置に配置されるスイッチ２４とを備え、商用電力系統の停電が検出されたとき、スイッチ２４をオフさせて第１の発電装置２０から商用電力系統への電力供給を遮断する一方、第２の発電装置６０を駆動し、交流電力を出力させて電気負荷に供給すると共に、第１の発電装置２０を駆動し、第２の発電装置６０が出力する交流電力と位相が同じ交流電力を出力させて電気負荷１４に供給する。【選択図】図１
2008206264.tif 000002
【特許請求の範囲】
【請求項１】
商用電力系統から電気負荷に至る交流電力の給電路に接続される第１の発電装置と前記第１の発電装置を駆動する内燃機関とを備えると共に、前記内燃機関の排熱を熱負荷に供給するコージェネレーション装置において、
ａ．前記給電路に、前記第１の発電装置と並列して接続される第２の発電装置、
ｂ．前記給電路に、前記第１、第２の発電装置の接続点よりも上流側の位置に配置されるスイッチ、
ｃ．前記商用電力系統の停電を検出する停電検出手段、
ｄ．前記停電が検出されたとき、前記スイッチをオフさせて前記第１の発電装置から前記商用電力系統への電力供給を遮断する電力供給遮断手段、
ｅ．前記第１の発電装置から前記商用電力系統への電力供給が遮断された後、前記第２の発電装置を駆動し、交流電力を出力させて前記電気負荷に供給する第２発電装置駆動手段、
ｆ．前記第２の発電装置が出力する交流電力の少なくとも位相を検出する位相検出手段、
および
ｇ．前記第１の発電装置を駆動し、前記検出された位相と同じ位相の交流電力を出力させて前記電気負荷に供給する第１発電装置駆動手段、
を備えることを特徴とするコージェネレーション装置。
【請求項２】
前記第２の発電装置は、第２の内燃機関で駆動される発電機からなることを特徴とする請求項１記載のコージェネレーション装置。
【発明の詳細な説明】
【技術分野】
【０００１】
この発明はコージェネレーション装置に関し、より具体的には商用電力系統が停電したとき、負荷に可能な限り多くの電力を供給するようにしたコージェネレーション装置に関する。
【背景技術】
【０００２】
近年、商用電力系統から電気負荷に至る交流電力の給電路に内燃機関で駆動される発電機を接続し、商用電力系統と連系させて電気負荷に電力を供給すると共に、内燃機関の排熱を利用して生成した温水などを熱負荷に供給するようにした、いわゆるコージェネレーション装置が提案されており、その例として例えば、特許文献１記載の技術を挙げることができる。
【特許文献１】特開平５−３２８６１５号公報
【０００３】
特許文献１記載の技術においては、自家用エンジン発電設備が自家発側負荷に接続されると共に、他の３個の負荷が商用電源設備（商用電力系統）と自家用エンジン発電設備に切り替え自在に接続される。自家発側負荷の運転負荷量が所定値以上の場合、他の３個の負荷は商用側電源設備に接続される一方、運転負荷量が所定値から低下するにつれて他の３個の負荷は順次自家用エンジン発電設備に接続されるように構成される。
【発明の開示】
【発明が解決しようとする課題】
【０００４】
ところで、この種のコージェネレーション装置において、商用電力系統が停電したときは、通例、コージェネレーション装置を停止させ、コージェネレーション装置の出力する電力が商用電力系統に流れ込む逆潮流を防止している。他方、停電時にも停止させることなく、コージェネレーション装置を動作させて電気負荷に電力を供給することも考えられるが、その場合、供給できる電力量の上限は当然ながらコージェネレーション装置の本来の最大出力に制限される。
【０００５】
従って、この発明の目的は上記した課題を解決し、商用電力系統が停電したとき、コージェネレーション装置の出力する電力が商用電力系統に流れ込む逆潮流を防止すると共に、電気負荷に可能な限り多くの電力を供給するようにしたコージェネレーション装置を提供することにある。
【課題を解決するための手段】
【０００６】
上記した課題を解決するために、請求項１にあっては、商用電力系統から電気負荷に至る交流電力の給電路に接続される第１の発電装置と前記第１の発電装置を駆動する内燃機関とを備えると共に、前記内燃機関の排熱を熱負荷に供給するコージェネレーション装置において、前記給電路に、前記第１の発電装置と並列して接続される第２の発電装置、前記給電路に、前記第１、第２の発電装置の接続点よりも上流側の位置に配置されるスイッチ、前記商用電力系統の停電を検出する停電検出手段、前記停電が検出されたとき、前記スイッチをオフさせて前記第１の発電装置から前記商用電力系統への電力供給を遮断する電力供給遮断手段、前記第１の発電装置から前記商用電力系統への電力供給が遮断された後、前記第２の発電装置を駆動し、交流電力を出力させて前記電気負荷に供給する第２発電装置駆動手段、前記第２の発電装置が出力する交流電力の少なくとも位相を検出する位相検出手段、および前記第１の発電装置を駆動し、前記検出された位相と同じ位相の交流電力を出力させて前記電気負荷に供給する第１発電装置駆動手段を備える如く構成した。
【０００７】
請求項２に係るコージェネレーション装置にあっては、前記第２の発電装置は、第２の内燃機関で駆動される発電機からなる如く構成した。
【発明の効果】
【０００８】
請求項１に係るコージェネレーション装置にあっては、商用電力系統から電気負荷に至る交流電力の給電路に接続される第１、第２の発電装置を備えると共に、その給電路において第１、第２の発電装置の接続点よりも上流側の位置に配置されるスイッチを備え、商用電力系統の停電が検出されたとき、スイッチをオフさせて第１の発電装置から商用電力系統への電力供給を遮断するように構成したので、商用電力系統が停電したとき、発電装置の出力する電力が商用電力系統に流れ込む逆潮流を確実に防止することができる。
【０００９】
また、第１の発電装置から商用電力系統への電力供給が遮断された後、第２の発電装置を駆動し、交流電力を出力させて電気負荷に供給すると共に、第２の発電装置が出力する交流電力の少なくとも位相を検出し、検出された位相と同じ位相の交流電力を出力させる、即ち、同期運転を行うように第１の発電装置を駆動して電気負荷に供給する如く構成したので、電気負荷に供給されるべき電力を、第２の発電装置から出力される交流電力の分だけ増加させることができる。
【００１０】
請求項２に係るコージェネレーション装置にあっては、第２の発電装置は第２の内燃機関で駆動される発電機からなる如く構成したので、簡易な構成でありながら、電気負荷に供給する電力を増加させることができると共に、必要に応じて第２の内燃機関の排熱を熱負荷に供給することも可能となる。
【発明を実施するための最良の形態】
【００１１】
以下、添付図面に即してこの発明に係るコージェネレーション装置を実施するための最良の形態について説明する。
【実施例】
【００１２】
図１は、この発明の実施例に係るコージェネレーション装置を全体的に示すブロック図である。
【００１３】
図示の如く、コージェネレーション装置（符号１０で示す）は、商用電力系統（系統電源）１２から電気負荷１４に至る交流電力の給電路（電力線。第１の給電路）１６に、接続点１８を介して接続される第１の発電装置２０を備える。商用電力系統１２は、単相３線からＡＣ１００／２００Ｖで５０Ｈｚ（または６０Ｈｚ）の交流電力を出力する。
【００１４】
第１の発電装置２０は後述する如く比較的小出力であり、個人住宅などを使用対象とする。電気負荷１４は複数個、具体的には４個の交流電気機器１４ａ，１４ｂ，１４ｃ，１４ｄからなり、例えば１４ａが照明器具、１４ｂが洗濯機、１４ｃが冷蔵庫、１４ｄがエアコンディショナである。
【００１５】
第１の給電路１６には、商用電力系統１２の側（上流側）から順に、メインブレーカボックス２２と、第１のスイッチ（スイッチ）２４と、配電盤２６とが配置され、その下流に電気負荷１４が接続される。メインブレーカボックス２２の内部には、過電流の通電を防止するメインブレーカ２２ａが設けられる。
【００１６】
第１のスイッチ２４は、図示の如く、第１の給電路１６に、第１の発電装置２０の接続点１８よりも上流側（商用電力系統１２の側）の位置に配置され、オンされるとき、商用電力系統１２は電気負荷１４および第１の発電装置２０に接続される一方、オフされるとき、電気負荷１４などとの接続は遮断され、第１の発電装置２０から商用電力系統１２への電力供給（逆潮流）は阻止される。尚、通常時（商用電力系統１２が停電でないとき）には、第１のスイッチ２４はオンされる。
【００１７】
第１の給電路１６は、配電盤２６内において４本の支路１６ａ，１６ｂ，１６ｃ，１６ｄに分岐され、対応するブレーカ２６ａ，２６ｂ，２６ｃ，２６ｄを介して電気負荷１４ａ，１４ｂ，１４ｃ，１４ｄに接続される。ブレーカ２６ａから２６ｄは、前記したメインブレーカ２２ａと同様、過電流が流れるときオフし、接続される電気負荷１４に過電流が流れるのを防止する。尚、図１に示す如く、メインブレーカボックス２２、第１のスイッチ２４あるいは配電盤２６などは端子を介して接続されるが、端子についての説明は省略する。
【００１８】
第１の発電装置２０は、第１の内燃機関（以下「第１のエンジン」という）３０と、第１のエンジン３０で駆動される第１の発電機３２と、第１の発電機３２に接続される第１のインバータ３４とを備える。
【００１９】
以下、第１の発電装置２０を構成する各要素について説明すると、第１のエンジン３０はガソリンを燃料とする水冷４サイクルの単気筒ＯＨＶ型の火花点火式のエンジンであり、例えば１６３ｃｃの排気量を備える。第１のエンジン３０の冷却水通路（図示せず）は配管３６に接続され、配管３６は第１のエンジン３０のマフラ４０の内部に案内された後、貯湯槽（熱負荷）４２の内部に案内される。配管３６の内部には第１のエンジン３０の冷却水が流通させられる。
【００２０】
第１のエンジン３０の駆動によって加熱された冷却水はマフラ４０の内部を通過するとき、排気によってさらに加熱されて貯湯槽４２に送られ、熱交換によってそこに貯留された貯留水の温度を上昇させて温水を生成する。熱交換で冷却された冷却水は、冷却水通路に戻されて第１のエンジン３０を冷却する。
【００２１】
このように、第１のエンジン３０の排熱を利用して温水などが生成される。尚、貯湯槽４２に貯留された温水は、例えば台所や風呂の給湯設備（図示せず）などの熱負荷に供給される。
【００２２】
第１の発電機３２は３相の交流発電機からなり、所定の回転数で回転するように制御される第１のエンジン３０で駆動され、交流電力を出力する。第１の発電機３２の最大発電出力は、例えば１．０ｋＷに設定される。
【００２３】
第１のインバータ３４は、図示の如く、第１の発電機３２から出力された交流を直流に整流する３相ブリッジ回路（ドライブ回路）３４ａと、３相ブリッジ回路３４ａで整流された直流を所定の電圧値まで昇圧する昇圧回路３４ｂと、昇圧された直流を交流、より具体的には商用電力系統１２と同一の周波数の単相３線１００／２００Ｖからなる交流に変換するインバータ回路３４ｃとを備える。インバータ回路３４ｃは、ＩＧＢＴ（Insulated-Gate Bipolar Transistor）からなるスイッチング素子を複数個備え、それらのスイッチング作用を通じて直流を交流に変換する。
【００２４】
第１のインバータ３４はさらに、インバータ回路出力のノイズを除去するチョークコイル３４ｄと、第２のスイッチ３４ｅと、第２のスイッチ３４ｅによるノイズを除去するコモンコイル３４ｆと、コモンコイル出力の電流値を検出する電流センサ（ＣＴ（Current Transformer））３４ｇを備える。
【００２５】
第２のスイッチ３４ｅは、オンされるとき、インバータ回路出力を電気負荷１４に供給する一方、オフされるとき、その出力を遮断（カット）する。また、チョークコイル３４ｄと第２のスイッチ３４ｅの間には第２の電流センサ３４ｈが接続され、そこを流れる交流電力の電流を示す出力を生じる。
【００２６】
第１のインバータ３４は、第２の給電路４４と接続点１８を介して第１の給電路１６に接続される。これにより、第１のインバータ３４から出力される交流電力は、第２の給電路４４、接続点１８、第１の給電路１６、配電盤２６（ブレーカ２６ａ〜２６ｄ）を介して各電気負荷１４ａ〜１４ｄに供給される。尚、第１のインバータ３４と第２の給電路４４の間にはノイズフィルタ４６が介挿され、第１のインバータ３４の出力からノイズを除去する。
【００２７】
コージェネレーション装置１０はさらに、マイクロコンピュータからなる電子制御ユニット（ＥＣＵ（Electronic Control Unit））５０と、第１の給電路１６に接続された第１の電流・電圧センサ５２と、第２の給電路４４に接続された第２の電流・電圧センサ５４を備える。第１、第２の電流・電圧センサ５２，５４は、第１、第２の給電路１６，４４を流れる交流電力の電圧、電流および位相（正弦波）に応じた信号を出力し、ＥＣＵ５０に送出する。
【００２８】
ＥＣＵ５０は第１の電流・電圧センサ５２の出力に基づき、商用電力系統１２が第１の給電路１６を通じて交流電力を供給しているか（正常か）あるいは交流電力を供給していないか（停電しているか）を検出すると共に、交流電力を供給しているときはその位相などを検出する。ＥＣＵ５０はまた、第２の電流・電圧センサ５４の出力に基づき、第１の発電装置２０が交流電力を供給しているか否かを検出すると共に、供給しているときはその位相などを検出する。ＥＣＵ５０は、検出値に基づき、第１のスイッチ２４、第１のエンジン３０、インバータ回路３４ｃ、および第２のスイッチ３４ｅなどの動作を制御するが、それについては後述する。
【００２９】
コージェネレーション装置１０は、第１の発電装置２０に加え、第２の発電装置６０を備える。
【００３０】
第２の発電装置６０は、第２の内燃機関（以下「第２のエンジン」という）６２と、第２のエンジン６２で駆動される第２の発電機（発電機）６４と、第２の発電機６４に接続される第２のインバータ６６とを備える。
【００３１】
第２のエンジン６２も、第１のエンジン３０と同様、ガソリンを燃料とする水冷４サイクルの単気筒ＯＨＶ型の火花点火式のエンジンであり、例えば排気量１６３ｃｃである。第２のエンジン６２は、図１に示すように、ＥＣＵ５０に信号線を介して接続され、その動作が制御される。尚、図示は省略するが、第１、第２のエンジン３０，６２を始動するために、バッテリとスタータモータが設けられる。第１、第２のエンジン３０，６２は、バッテリで駆動されるスタータモータによってクランキングされて始動する。
【００３２】
第２の発電機６４も、第１の発電機３２と同様、３相交流発電機からなり、第２のエンジン６２で駆動され、例えば最大発電出力１．０ｋＷの交流電力を出力する。
【００３３】
第２のインバータ６６は、第２の発電機６４から出力された交流を直流に整流する３相ブリッジ回路（ドライブ回路）６６ａと、３相ブリッジ回路で整流された直流を、インバータ回路３４ｃと同様、商用電力系統１２と同じ周波数の単相３線１００／２００Ｖからなる交流に変換して出力するインバータ回路６６ｂを備える。
【００３４】
第２のインバータ６６も第２の給電路４４に接続される。即ち、第２の発電装置６０は、第１の給電路１６に第１の発電装置２０と並列して接続され、出力する交流電力を第２の給電路４４を通じて電気負荷１４に供給する。尚、第２の給電路４４は接続点１８で第１の給電路１６に接続されるため、第１のスイッチ２４は、第１、第２の発電装置２０，６０の接続点１８よりも上流側（商用電力系統側１２の側）の位置に配置されることとなる。
【００３５】
次いで、上記のように構成されたコージェネレーション装置１０の動作を、図２以降を参照して説明する。
【００３６】
図２は、コージェネレーション装置、より具体的にはＥＣＵ５０の動作を示すフロー・チャートである。
【００３７】
以下説明すると、先ずＳ１０において、商用電力系統１２が停電か否か判断する。これは前記した第１の電流・電圧センサ５２の出力に基づいて判断する。具体的には、第１の電流・電圧センサ５２から所期の交流電力を示す信号が出力されているときは商用電力系統１２が正常と判断する一方、出力されていないときは商用電力系統１２が停電と判断する。
【００３８】
Ｓ１０で否定されて商用電力系統１２が正常と判断されるときはＳ１２に進み、商用電力系統１２の出力（交流電力）の位相を第１の電流・電圧センサ５２によって検出し、Ｓ１４に進み、検出された商用電力系統１２の出力（交流電力）の位相と同じ位相の交流電力を出力する、即ち、同期運転を行うように、第１のエンジン３０を始動して第１の発電装置２０を駆動する。
【００３９】
図３は、第１の発電装置２０の同期運転を説明するタイム・チャートである。
【００４０】
図示の如く、商用電力系統１２が正常であるときは、第１の発電装置２０を駆動し、商用電力系統１２の出力の位相と同じ位相の交流電力を出力させる。具体的には、ＥＣＵ５０は、検出した商用電力系統１２の交流電力の出力を信号線を介してインバータ回路３４ｃに入力する。インバータ回路３４ｃは入力値と位相が一致する交流電力を出力する。
【００４１】
インバータ回路３４ｃで商用電力系統１２の交流電力と少なくとも位相で一致させられた交流電力は、第２の給電路４４、接続点１８および第１の給電路１６を介して電気負荷１４に供給される。尚、正常時（停電ではないとき）、第２のスイッチ３４ｅはオンされているものとする。
【００４２】
このように、商用電力系統１２が正常のときは、検出された商用電力系統１２の交流電力の位相と同じ位相の交流電力を出力する同期運転を行うように第１の発電装置２０を駆動し、商用電力系統１２と連系させる。これにより、電気負荷１４には、商用電力系統１２の電力と第１の発電装置２０の電力の両方が供給される。電気負荷１４は第１の発電装置２０の出力で十分なときは第１の発電装置２０の出力で動作すると共に、不足するときは商用電力系統１２の出力を入力して動作する。
【００４３】
図２フロー・チャートの説明に戻ると、Ｓ１０で肯定されて商用電力系統１２の停電と判断されるときはＳ１６に進み、第１のスイッチ２４をオフすると共に、第２のスイッチ３４ｅをオフする。即ち、第１のスイッチ２４をオフして第１の発電装置２０から商用電力系統１２への電力供給を遮断することで、逆潮流を防止する。また、第２のスイッチ３４ｅをオフすることで、第１の発電装置２０から電気負荷１４に供給される電力を一旦遮断する。
【００４４】
次いでＳ１８に進み、第２の発電装置６０を始動（駆動）し、Ｓ２０に進み、第２の発電装置６０の出力（交流電力）の位相を第２の電流・電圧センサ５４で検出し、Ｓ２２に進み、第２の発電装置６０の出力（交流電力）の位相と同じ位相の交流電力を出力する（同期運転を行う）ように第１の発電装置２０を駆動し、Ｓ２４に進み、第２のスイッチ３４ｅをオンする。
【００４５】
即ち、図３に示す如く、商用電力系統１２の停電が検出されたときは、第２の発電装置６０を駆動すると共に、その出力（交流電力）の位相と同じ位相の出力を生じるように、第１の発電装置２０を駆動する。このようにして、検出された第２の発電装置６０の交流電力と少なくとも位相が一致する交流電力を出力する同期運転を行うように第１の発電装置２０を駆動し、第２の発電装置６０と連系させる。従って、電気負荷１４には、第２の発電装置６０の電力と第１の発電装置２０の電力の両方が供給され、換言すれば、第１の発電装置２０の電力に第２の発電装置６０の電力分だけ増加した電力量が供給される。
【００４６】
図２の説明を続けると、次いでＳ２６に進み、商用電力系統１２が復旧したか（停電が終了したか）否か判断する。この判断も、第１の電流・電圧センサ５２の出力に基づいて行われる。
【００４７】
Ｓ２６で否定されるときは上記判断を繰り返す一方、肯定されるときはＳ２８に進み、第２の発電装置６０を停止する。次いでＳ３０に進み、第２のスイッチ３４ｅをオフし、第１の発電装置２０から電気負荷１４に供給される電力を一旦遮断する。
【００４８】
次いで、Ｓ３２に進み、第１のスイッチ２４をオンして商用電力系統１２から出力された交流電力を電気負荷１４に供給する。次いでＳ３４に進み、商用電力系統１２の出力（交流電力）の位相を検出し、Ｓ３６に進み、検出された商用用電力系統１２の交流電力の位相と同じ位相の交流電力を図３に示す如く出力する、即ち、同期運転を行うように第１の発電装置２０を駆動し、Ｓ３８に進んで第２のスイッチ３４ｅをオンする。これにより、電気負荷１４には、商用電力系統１２の電力と第１の発電装置２０の電力の両方が供給される。
【００４９】
上記した如く、この発明の実施例にあっては、商用電力系統１２から電気負荷１４に至る交流電力の給電路（第１の給電路）１６に接続される第１の発電装置２０と前記第１の発電装置２０（より具体的にはその第１の発電機３２）を駆動する内燃機関（第１の内燃機関（エンジン））３０とを備えると共に、前記内燃機関３０の排熱を熱負荷（貯湯槽）４２に供給するコージェネレーション装置１０において、前記給電路１６に、前記第１の発電装置２０と並列して接続される第２の発電装置６０、前記給電路１６に、前記第１、第２の発電装置２０，６０の接続点１８よりも上流側の位置に配置されるスイッチ（第１のスイッチ）２４、前記商用電力系統１２の停電を検出する停電検出手段（第１の電流・電圧センサ５２，ＥＣＵ５０，Ｓ１０）、前記停電が検出されたとき、前記スイッチ２４をオフさせて前記第１の発電装置２０から前記商用電力系統１２への電力供給を遮断する電力供給遮断手段（ＥＣＵ５０，Ｓ１６）、前記第１の発電装置２０から前記商用電力系統１２への電力供給が遮断された後、前記第２の発電装置６０を駆動し、交流電力を出力させて前記電気負荷１４に供給する第２発電装置駆動手段（ＥＣＵ５０，Ｓ１８）、前記第２の発電装置６０が出力する交流電力の少なくとも位相を検出する位相検出手段（第２の電流・電圧センサ５４，ＥＣＵ５０，Ｓ２０）、および前記第１の発電装置２０を駆動し、前記検出された位相と同じ位相の交流電力を出力させて前記電気負荷１４に供給する第１発電装置駆動手段（ＥＣＵ５０，Ｓ２２，Ｓ２４）を備える如く構成した。
【００５０】
このように、商用電力系統１２から電気負荷１４に至る交流電力の給電路１６に接続される第１、第２の発電装置２０，６０を備えると共に、その給電路１６において第１、第２の発電装置２０，６０の接続点１８よりも上流側の位置に配置される第１のスイッチ２４を備え、商用電力系統１２の停電が検出されたとき、第１のスイッチ２４をオフさせて第１の発電装置２０から商用電力系統１２への電力供給を遮断するように構成したので、商用電力系統１２が停電したとき、コージェネレーション装置１０（第１の発電装置２０）の出力する電力が商用電力系統１２に流れ込む逆潮流を確実に防止することができる。
【００５１】
また、第１の発電装置２０から商用電力系統１２への電力供給が遮断された後、第２の発電装置６０を駆動し、交流電力を出力させて電気負荷１４に供給すると共に、第２の発電装置６０が出力する交流電力の少なくとも位相を検出し、少なくとも検出された位相と同じ位相の交流電力を出力させる、即ち、同期運転を行うように第１の発電装置２０を駆動して電気負荷１４に供給する如く構成したので、電気負荷１４に供給されるべき電力を、第２の発電装置６０から出力される交流電力の分だけ増加させることができる。
【００５２】
また、第１の発電装置２０と第２の発電装置６０は、通信手段などを介して接続されるのではなく、給電路１６に並列して接続されると共に、第２の発電装置６０の交流電力の位相と同じ位相の交流電力を出力する同期運転を行うように第１の発電装置２０を駆動するように構成したので、第２の発電装置６０の交流電力の位相を検出するだけで、第１、第２の発電装置２０，６０を容易に連系して運転させることできると共に、第２の発電装置６０として様々な形式の発電装置、例えば実施例で示したエンジンで駆動される発電機だけでなく、燃料電池などを用いることも可能となる。
【００５３】
また、前記第２の発電装置６０は、第２の内燃機関（エンジン）６２で駆動される発電機（第２の発電機）６４からなる如く構成したので、簡易な構成でありながら、電気負荷１４に供給する電力を増加させることができると共に、必要に応じて第２の内燃機関６２の排熱を熱負荷に供給することも可能となる。即ち、上記した実施例では記載しなかったが、配管３６を第２の内燃機関６２のマフラの内部などに案内し、第２の内燃機関６２が排出する熱を利用するようにしても良い。
【００５４】
また、上記した実施例において商用電力系統１２の停電が検出されないとき、第１のエンジン３０を始動させて第１の発電装置２０を駆動するように構成したが、電気負荷１４や熱負荷（貯湯槽４２）の使用状況に応じて第１の発電装置２０を駆動するように構成しても良い。同様に、商用電力系統１２の停電が検出されたとき、第２のエンジン６２を始動させて第２の発電装置６０を駆動するように構成したが、電気負荷１４などの使用状況に応じて第２の発電装置６０を駆動するように構成しても良い。
【００５５】
また、上記した実施例において第２の発電装置６０あるいは商用電力系統１２が出力する交流電力の位相を検出し、検出された位相と同じ位相の交流電力を出力するように第１の発電装置２０を駆動したが、位相のみならず、電圧まで同一となるように第１の発電装置２０を駆動しても良い。その意味で、特許請求の範囲などで「少なくとも位相」と記載した。
【００５６】
また、上記した実施例において第１の発電装置２０の駆動源（第１のエンジン３０）と第２の発電装置６０の駆動源（第２のエンジン６２）としてガソリン燃料を使用するエンジンを用いるように構成したが、都市ガス・ＬＰガスを燃料とするガスエンジンなどであっても良い。
【００５７】
また、商用電力系統１２が出力する交流電力を１００／２００Ｖとしたが、商用電力系統が出力する交流電力が１００／２００Ｖを超えるときは、それに相応する電圧を第１、第２の発電装置２０，６０から出力させることはいうまでもない。
【００５８】
また、第１、第２の発電機３２，６４の最大発電出力、あるいは第１、第２のエンジン３０，６２の排気量などを具体的な値で示したが、それらは例示であって限定されるものではないこともいうまでもない。
【図面の簡単な説明】
【００５９】
【図１】この発明の実施例に係るコージェネレーション装置を全体的に示すブロック図である。
【図２】図１に示すコージェネレーション装置の動作を示すフロー・チャートである。
【図３】図１に示す第１の発電装置の同期運転を説明するタイム・チャートである。
【符号の説明】
【００６０】
１０  コージェネレーション装置、１２  商用電力系統、１４（１４ａ〜１４ｄ）  電気負荷、１６  第１の給電路（電力線）、１８  接続点、２０  第１の発電装置、２４  第１のスイッチ、３０  第１のエンジン（内燃機関）、３４  第１のインバータ、３６  配管、４２  貯湯槽（熱負荷）、４４  第２の給電路、５０  ＥＣＵ（電子制御ユニット）、５２，５４  電流・電圧センサ、６０  第２の発電装置、６２  第２のエンジン（内燃機関）、６４  第２の発電機
【図１】
2008206264.tif 000003
【図２】
2008206264.tif 000004
【図３】
2008206264.tif 000005